(57)【要約】【課題】遊技球との接触に伴い可動体に作用する負荷が過大になりにくい遊技機を提供する。【解決手段】パチンコ機は、案内部材１２０、第二可動部材２５１、及び下傾斜リブ２０１を備える。案内部材１２０は、左側に向けて遊技球Ｐを案内可能である。第二可動部材２５１は、案内部材１２０の左下側に設けられる。下傾斜リブ２０１は、案内部材１２０から第二可動部材２５１に至る流路に設けられる。下傾斜リブ２０１は、案内部材１２０によって案内された遊技球Ｐに対して、左側から接触する。遊技球Ｐは、下傾斜リブ２０１に接触した後、第二可動部材２５１に接触する。遊技球Ｐが下傾斜リブ２０１に接触することによって、遊技球Ｐの勢いは低下する。従って、遊技球Ｐとの接触に伴い第二可動部材２５１に作用する負荷は、過大になりにくい。【選択図】図１６
2018164646.tif 000002
【特許請求の範囲】
【請求項１】
流下する遊技球を下側へ案内する第一案内部材と、
第一案内部材によって案内された前記遊技球を下側から受けて案内する第二案内部材と、
第二案内部材によって案内された前記遊技球が接触可能な可動体と、
前記第二案内部材から前記可動体に至る流路に設けられ、前記第二案内部材によって案内される前記遊技球が流下する方向とは反対側から、前記遊技球に対して接触する接触部材と
を備えたことを特徴とする遊技機。
【請求項２】
前記接触部材は、前記流路の一方側に設けられ、
前記第二案内部材は、前記接触部材に向けて前記遊技球を案内する案内部を備えたことを特徴とする請求項１に記載の遊技機。
【請求項３】
前記接触部材は、上側に向かうにつれて前記第二案内部材から離隔する方向に延びることを特徴とする請求項１又は２に記載の遊技機。
【請求項４】
前記接触部材の下側に設けられ、前記遊技球を前記可動体に案内する第三案内部材を備えたことを特徴とする請求項１から３のいずれかに記載の遊技機。
【発明の詳細な説明】
【技術分野】
【０００１】
本発明は遊技機に関する。
【背景技術】
【０００２】
特許文献１に開示される遊技機は、可動体の一例であるスライド蓋を備える。スライド蓋は、遊技盤の前方に設けられており、略上下方向に厚さを有する板状である。スライド蓋は、サイド入賞口を開閉する。スライド蓋がサイド入賞口を閉鎖している場合、遊技球は、転動路と、転動路よりも下方にある大入賞口構成体の上壁部とを順に転動して、スライド蓋の上面を転動する。
【先行技術文献】
【特許文献】
【０００３】
【特許文献１】特開２０１５−１８６６７９号公報
【発明の概要】
【発明が解決しようとする課題】
【０００４】
上記遊技機では、転動路を転動する遊技球の勢いが強い場合、転動路を離れた遊技球は、上壁部に接触することなく、スライド蓋に到達する可能性がある。この場合、スライド蓋に作用する負荷は過大になる可能性がある。
【０００５】
本発明の目的は、遊技球との接触に伴い可動体に作用する負荷が過大になりにくい遊技機を提供することである。
【課題を解決するための手段】
【０００６】
本発明の遊技機は、流下する遊技球を下側へ案内する第一案内部材と、第一案内部材によって案内された前記遊技球を下側から受けて案内する第二案内部材と、第二案内部材によって案内された前記遊技球が接触可能な可動体と、前記第二案内部材から前記可動体に至る流路に設けられ、前記第二案内部材によって案内される前記遊技球が流下する方向とは反対側から、前記遊技球に対して接触する接触部材とを備えたことを特徴とする。
【０００７】
上記構成によれば、第二案内部材によって案内された遊技球の勢いは、接触部材との接触によって弱まる。従って、遊技球との接触に伴い可動体に作用する負荷が過大になりにくい遊技機が実現できる。
【０００８】
前記遊技機において、前記接触部材は、前記流路の一方側に設けられ、前記第二案内部材は、前記接触部材に向けて前記遊技球を案内する案内部を備えてもよい。この場合、案内部材によって案内される遊技球は、接触部材に接触し易い。
【０００９】
前記遊技機において、前記接触部材は、上側に向かうにつれて前記第二案内部材から離隔する方向に延びてもよい。この場合、第二案内部材によって案内されてから接触部材に接触するまでの遊技球の移動量が増える。従って、接触部材に接触するまでの間に遊技球は減速し易い。よって、接触部材と接触した後の遊技球の勢いは、更に弱まる。
【００１０】
前記遊技機において、前記接触部材の下側に設けられ、前記遊技球を前記可動体に案内する第三案内部材を備えてもよい。この場合、接触部材に接触した遊技球は、第三案内部材に落下して案内される。よって、遊技球が接触する時の可動体に作用する負荷は更に低減する。
【図面の簡単な説明】
【００１１】
【図１】パチンコ機１の正面図である。
【図２】遊技盤２の正面図である。
【図３】アタッカー装置５０の斜視図である。
【図４】アタッカー装置５０の断面斜視図である。
【図５】正面側から見たアタッカー装置５０の断面図である。
【図６】後壁部５２と第一作動機構１５０の斜視図である。
【図７】案内部材１２０の斜視図である。
【図８】第一可動部材１５１が第一非作動位置にある第一作動機構１５０の斜視図である。
【図９】第二作動機構２５０の斜視図である。
【図１０】右案内部材２１０の斜視図である。
【図１１】図５のＡ−Ａ線矢視方向における分岐流路３１４の断面図である。
【図１２】第三作動機構３５０の斜視図である。
【図１３】分岐流路３１４の縦断面図である。
【図１４】第一可動部材１５１が第一作動位置にある第一作動機構１５０の斜視図である。
【図１５】遊技球Ｐが第一可動部材１５１上を流下するアタッカー装置５０を正面側から見た断面図である。
【図１６】遊技球Ｐが第二可動部材２５１に向けて流下するアタッカー装置５０を正面側から見た断面図である。
【図１７】遊技球Ｐが流路３００に向けて流下するアタッカー装置５０を正面側から見た断面図である。
【図１８】第二可動部材２５１が前方に移動するタイミングで、第二可動部材２５１と補助リブ２２４との間に進入する遊技球Ｐの斜視図である。
【図１９】遊技球Ｐが左流路３２０へ案内されるアタッカー装置５０を正面側から見た断面図である。
【図２０】後続の遊技球Ｐが左流路３２０へ案内されるアタッカー装置５０を正面側から見た断面図である。
【図２１】遊技球Ｐが下側へ案内される分岐流路３１４の縦断面図である。
【発明を実施するための形態】
【００１２】
以下、本発明に係る遊技機の一実施の形態であるパチンコ機１について、図面を参照して説明する。
【００１３】
図１および図２を参照して、パチンコ機１の機械的構成について説明する。図１に示すように、パチンコ機１の上半分の部分には遊技盤２が設けられている。遊技盤２は略正方形であり（図２参照）、透明なガラス板を保持したガラス枠１３によって前面を保護されている。遊技盤２の下方部には、発射機に遊技球Ｐを供給し、且つ賞球を受ける上皿５が設けられている。上皿５の直下には、賞球を受ける下皿６が設けられている。下皿６の右横には、遊技球Ｐ（図７参照）の発射を調整する発射ハンドル７が設けられている。ガラス枠１３の上部の左右の角にはスピーカ４８がそれぞれ設けられている。
【００１４】
図２に示すように、遊技盤２の前面には、ガイドレール３で囲まれた略円形の遊技領域４が形成されている。遊技領域４の略中央には、ＬＣＤである表示装置２８が設けられている。表示装置２８の表示領域では、大当たり判定の結果を遊技者に報知するための報知演出、大当たり遊技中の演出等、様々な演出の映像が表示される。特に、報知演出では複数のデモ図柄の変動および停止が行われ、同一のデモ図柄が所定ライン上に確定表示されることで、大当たり判定の結果が当たりであることが遊技者に報知される。
【００１５】
表示装置２８の上方には、円弧状に湾曲したガイドレール２０が設けられている。ガイドレール２０は、遊技領域４の右側へ向けて発射された遊技球Ｐを下側から受けて、流下方向の下流側（右下側）へ案内する。
【００１６】
表示装置２８の下方には、上方から順に、第一特別図柄始動電動役物１４、第二特別図柄始動電動役物１６、及びアウト口１９が設けられている。また、表示装置２８の右方には、普通図柄始動ゲート１２が設けられている。第一特別図柄始動電動役物１４に遊技球Ｐが入賞することを契機として、第一特別図柄の大当たり判定が行われる。ガイドレール２０によって案内された遊技球Ｐが普通図柄始動ゲート１２を通過すると、普通当たり判定が行われる。第二特別図柄始動電動役物１６は、普通当たり判定によって当たりと判定された場合に、入賞可能となる。第二特別図柄始動電動役物１６に遊技球Ｐが入賞することを契機として、第二特別図柄の大当たり判定が行われる。アウト口１９は、遊技領域４の下端まで流下した遊技球Ｐを回収し、遊技盤２の後側へ排出する。
【００１７】
表示装置２８の右下方には、アタッカー装置５０が設けられている。アタッカー装置５０は、大当たり遊技の演出に伴って動作する。アタッカー装置５０の詳細は後述する。
【００１８】
図示しないが、パチンコ機１の背面側には制御部（図示略）が設けられている。制御部は、主基板、中継基板、サブ制御基板、及び払出制御基板等を備える。各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。主基板は、第一特別図柄始動電動役物１４、第二特別図柄始動電動役物１６等に接続されている。中継基板は、主基板で行われた各種判定の結果等に基づいて、アタッカー装置５０を駆動する。サブ制御基板は、主基板で行われた各種判定の結果等に基づいて、各種演出動作を実行する。サブ制御基板は、表示装置２８の表示制御を行う演出制御基板等に接続されている。払出制御基板は、パチンコ機１に設けられた賞球払出装置（図示略）を、主制御基板４１から送信されるコマンドに応じて駆動し、賞球としての遊技球Ｐを上皿５に払い出させる。
【００１９】
図３〜図２０を参照し、アタッカー装置５０を説明する。はじめに、図３、図４を参照し、アタッカー装置５０の概要を説明する。アタッカー装置５０は、対向配置された前壁部５１と後壁部５２を有しており、前壁部５１と後壁部５２との間には、遊技球Ｐが流下可能な流路の他に、第一入賞装置１００及び第二入賞装置２００が設けられる。本実施形態では一例として、第一入賞装置１００は第一大入賞口１１を有し、第二入賞装置２００は第二大入賞口２２を有する。ガイドレール２０（図２参照）によって案内された遊技球Ｐは、アタッカー装置５０の右上部に形成された入球部５４を通過して、アタッカー装置５０内部の流路に進入する。内部に進入した遊技球Ｐは、第一入賞装置１００に入賞する流路（矢印Ａ１）、排球路８０から排出される流路（矢印Ｂ１）、アタッカー装置５０の左部の放出口２９０を通過する流路（矢印Ｃ４）、又は第二入賞装置２００に入賞する流路（矢印Ｃ１）のいずれかに振り分けられる。第二入賞装置２００に入賞した遊技球Ｐは、非特定領域３２２Ａ（図５参照）を通過する流路（矢印Ｃ２）、又は、特定領域３３３Ａ（図５参照）を通過する流路に振り分けられる（矢印Ｃ３）。尚、本実施形態では、前壁部５１は透明であり、遊技者はアタッカー装置５０の内部を視認できる。
【００２０】
図４〜図８を参照し、第一入賞装置１００の構成を詳説する。図４に示すように、第一入賞装置１００は、上傾斜リブ１１０、案内部材１２０、横長リブ１２４、特定案内部材１４０、第一検出スイッチ１３０、及び第一作動機構１５０（図６参照）を備える。上傾斜リブ１１０は、後壁部５２から前方に突出するリブであり、入球部５４の下方に設けられる。上傾斜リブ１１０は、左上方から右下方に直線状に延びる。上傾斜リブ１１０の延設方向は、入球部５４を通過する遊技球Ｐの流下方向（下方向）に対して傾斜する。
【００２１】
図７に示すように、上傾斜リブ１１０の下側には、案内部材１２０が設けられる。案内部材１２０は、遊技球Ｐを左側へ案内可能である。案内部材１２０は、主案内面１２１、補助案内面１２２、及び縦長リブ１２３を備える。主案内面１２１は、後壁部５２から直交して前方に延出しており、補助案内面１２２は、主案内面１２１の前端から前上方に延出して前壁部５１に接続する。主案内面１２１と補助案内面１２２は、右上方から左下方へ傾斜して延びる。縦長リブ１２３は、前壁部５１から後方に突出する上下に長いリブであり、補助案内面１２２の左部に接続する。
【００２２】
縦長リブ１２３の左方には、横長リブ１２４が設けられる。横長リブ１２４は、前壁部５１から後方に突出する左右に長いリブであり、遊技球Ｐに対して前側から接触可能である。横長リブ１２４は、主案内面１２１と補助案内面１２２よりも左方にある。横長リブ１２４の後面左部は、左前方へ傾斜する傾斜面１２４Ａである。
【００２３】
図４、図５に示すように、案内部材１２０の左側には、特定案内部材１４０が設けられる。特定案内部材１４０と案内部材１２０との間には、第一開口部１３５が形成される。第一開口部１３５は、横長リブ１２４の後方に位置する。特定案内部材１４０の右端部には、通過孔１３０Ａが形成された第一検出スイッチ１３０が設けられる。第一検出スイッチ１３０は、通過孔１３０Ａを通過する遊技球Ｐを検出するセンサである。第一検出スイッチ１３０は中継基板に接続されている。特定案内部材１４０は、第一検出スイッチ１３０を通過した遊技球Ｐを遊技盤２の後側に案内する。
【００２４】
図６、図８に示すように、第一作動機構１５０は、第一ソレノイド１５５、第一可動部材１５１、及び移動部材１５２を備える。第一ソレノイド１５５は制御部（図示略）の中継基板に接続されている。第一ソレノイド１５５は、筐体１５５Ａ、プランジャ１５５Ｂ、及び付勢バネ（図示略）から構成される。第一ソレノイド１５５が駆動することで、プランジャ１５５Ｂは筐体１５５Ａに対して出退する。付勢バネはプランジャ１５５Ｂを左方に付勢する。第一可動部材１５１は、上下に延びる第一支軸１５７を中心に、回動可能な部材である。第一可動部材１５１はプランジャ１５５Ｂに連結している。従って、プランジャ１５５Ｂが筐体１５５Ａに対して出退することで、第一可動部材１５１は、第一支軸１５７を中心に回動できる。この場合、第一可動部材１５１の板部１５１Ａは、後壁部５２部に形成された通過口６１を通過する。
【００２５】
板部１５１Ａの上面１５１Ｂは、遊技球Ｐが転動可能な面である。板部１５１Ａのうちで、第一支軸１５７から離隔する方向側の部位は、第一支軸１５７を中心に平面視で時計回り側に突出する。以下、この突出する板部１５１Ａの部位を、突出部１５１Ｃという。突出部１５１Ｃの幅（即ち第一支軸１５７と直交する方向の寸法）は、第一支軸１５７を中心に平面視で時計回り側へ向かうに従い、狭くなる。
【００２６】
移動部材１５２は、第一支軸１５７の左方にて前後動可能に設けられる。移動部材１５２は、第一可動部材１５１に対して摺動可能に連結している。より詳細には、移動部材１５２に設けられたピンが、第一可動部材１５１に設けられた長穴に摺動可能に連結している。従って、第一可動部材１５１の回転に連動して、移動部材１５２は前後動する。前後動する移動部材１５２は、第一検出スイッチ１３０よりも右方にて後壁部５２に形成された通過口６２を、通過する。本実施形態では、第一検出スイッチ１３０と移動部材１５２が、第一入賞装置１００の第一大入賞口１１を構成する。
【００２７】
図７、図８、及び図１４を参照し、第一可動部材１５１と移動部材１５２のそれぞれの可動範囲を説明する。図８で示される第一可動部材１５１は第一非作動位置にあり、移動部材１５２は規制位置にある。第一非作動位置にある第一可動部材１５１は、通過口６１に退入して、第一開口部１３５（図７参照）を開放する。規制位置にある移動部材１５２は、通過口６２から前方に突出する。右側面視において、規制位置にある移動部材１５２は、第一検出スイッチ１３０の通過孔１３０Ａの内側に部分的に進入する。従って、規制位置にある移動部材１５２は、遊技球Ｐの第一大入賞口１１への入賞を規制できる。
【００２８】
第一非作動位置にある第一可動部材１５１は、平面視で時計回りに回動することで、第一作動位置（図７、図１４参照）まで到達可能である。図７、図１４に示すように、第一作動位置にある第一可動部材１５１は、遊技球Ｐが通過困難な程度に第一開口部１３５を閉める。第一可動部材１５１が第一非作動位置まで回動する場合、移動部材１５２は、可動範囲の後端となる退避位置まで移動する。退避位置にある移動部材１５２は、通過口６２（図１４参照）に退入し、第一検出スイッチ１３０の通過孔１３０Ａは、左右方向に開放される。
【００２９】
尚、本実施形態では、第一可動部材１５１が第一非作動位置にある場合、突出部１５１Ｃは、第一検出スイッチ１３０に対して右方近傍に配置される。突出部１５１Ｃの前方、且つ横長リブ１２４の傾斜面１２４Ａの下方では、第一開口部１３５が部分的に開放されている（図７参照）。
【００３０】
図５、図９、及び図１０を参照し、第二入賞装置２００を詳説する。第二入賞装置２００は、下傾斜リブ２０１、右案内部材２１０、左案内部材２２０、第二作動機構２５０、及び流路３００を備える。
【００３１】
図５及び図９に示すように、下傾斜リブ２０１は、第一開口部１３５の下方にて、後壁部５２から前方に突出する。下傾斜リブ２０１は、案内部材１２０から第二可動部材２５１（後述）に至る流路の後側に設けられている。下傾斜リブ２０１は、右下方から左上方へ延びる。下傾斜リブ２０１は、第一開口部１３５を下方に通過した遊技球Ｐの後部に対して、左側から接触可能である。下傾斜リブ２０１は、上傾斜リブ１１０に対して非平行である。下傾斜リブ２０１の下方には、右案内部材２１０が設けられている。右案内部材２１０は、遊技球Ｐを下側から受けた後に左側へ案内可能である。また、右案内部材２１０の右方には、排球路８０（図５参照）が設けられており、排球路８０の下端部にはアウト口８１が形成されている。排球路８０は、案内部材１２０の右方を通過する遊技球Ｐを、アウト口８１に案内する（矢印Ｂ１）。
【００３２】
図１０に示すように、右案内部材２１０は、主案内面２２１及び補助案内面２２２を備える。主案内面２２１は、後壁部５２から略直交して前方に延出する。補助案内面２２２は、主案内面２２１の前端から前上方に延出し、前壁部５１に接続する。主案内面２２１と補助案内面２２２は、右上方から左下方へ傾斜して延びる。
【００３３】
図５に示すように、右案内部材２１０の左部と、第一開口部１３５の間には、縦長リブ２２３が設けられる。縦長リブ２２３は、前壁部５１（図３参照）から後方に突出すると共に上下に長いリブである。縦長リブ２２３と補助案内面２２２（図１０参照）との間には、上下方向に沿って所定の間隔が空いている。この間隔は、遊技球Ｐの直径よりも短い。右案内部材２１０の左方には、左案内部材２２０が設けられている。左案内部材２２０と右案内部材２１０との間には、第二開口部２３５が形成されている。左案内部材２２０は、その上面を転動する遊技球Ｐを、放出口２９０（図３参照）に向けて案内可能である。本実施形態では、遊技球Ｐは第二開口部２３５を下方に通過することで第二入賞装置２００に入賞する。
【００３４】
図９に示すように、第二開口部２３５の前方には、補助リブ２２４が設けられている。補助リブ２２４は、前壁部５１から後方に突出するリブである。補助リブ２２４は、右案内部材２１０の主案内面２２１及び補助案内面２２２に対して平行に延びる略三角柱状である。補助リブ２２４の後端２２４Ａは、後方に向けて尖る角部であり、右後方から左前方に向けて傾斜している。
【００３５】
第二開口部２３５は、第二作動機構２５０によって開閉される。第二作動機構２５０は、第二ソレノイド２５５、回動部材２５８、及び第二可動部材２５１を備える。第二ソレノイド２５５は、第一ソレノイド１５５（図８参照）と同型のソレノイドである。第二ソレノイド２５５は後壁部５２（図１０参照）の後方に設けられる。第二ソレノイド２５５と後壁部５２との間には、回動部材２５８が設けられる。回動部材２５８は、上下に延びる第二支軸２５７を中心に回動可能であると共に、第二ソレノイド２５５に連結している。回動部材２５８の上方には、第二可動部材２５１が前後動可能に設けられる。第二可動部材２５１の前端面２５２は、補助リブ２２４の後端２２４Ａと略同じ高さ位置にある。また、前端面２５２は、第一前端面２５２Ａと第二前端面２５２Ｂとによって構成される。第一前端面２５２Ａは、右前方から左後方に傾斜して延びる。第二前端面２５２Ｂは、第一前端面２５２Ａの前端から左前方に傾斜して延びる。第一前端面２５２Ａと第二前端面２５２Ｂは、いずれも、補助リブ２２４の後端２２４Ａに対して非平行である。
【００３６】
第二可動部材２５１は、回動部材２５８に摺動可能に連結している。より詳細には、第二可動部材２５１に設けられたピンが、回動部材２５８に設けられた長穴に摺動可能に連結している。従って、回動部材２５８が第二ソレノイド２５５の駆動によって回転すると、第二可動部材２５１は前後動する。前後動する第二可動部材２５１は、前壁部５１に形成された通過口６３（図６参照）を通過する。
【００３７】
第二可動部材２５１の可動範囲を説明する。第二可動部材２５１は、第二作動位置と第二非作動位置との間を前後動する。図９では、第二作動位置にある第二可動部材２５１を二点鎖線で図示し、第二非作動位置にある第二可動部材２５１を実線で図示する。第二作動位置にある第二可動部材２５１は、通過口６３に退入して第二開口部２３５を開放する。この場合、右案内部材２１０によって案内される遊技球Ｐは、第二開口部２３５を下方に通過する。一方、第二非作動位置にある第二可動部材２５１は、第二開口部２３５を閉じる。この場合、右案内部材２１０によって案内される遊技球Ｐは、第二可動部材２５１上を転動できるので、第二入賞装置２００に入賞することなく左案内部材２２０に流下する。
【００３８】
図４、図１１〜図１３を参照し、流路３００を説明する。図４に示すように、流路３００は、第二入賞装置２００に入賞した遊技球Ｐが流下する略筒状の部材である。流路３００は、傾斜流路３１０、分岐流路３１４、左流路３２０、及び右流路３３０を含む。
【００３９】
傾斜流路３１０は、第二可動部材２５１の第一前端面２５２Ａ（図９参照）の下側に設けられる。傾斜流路３１０は、左下方に向けて傾斜する。傾斜流路３１０の左右方向における内寸法は、下側に向かう程、狭くなり、傾斜流路３１０の下端部の大きさは、遊技球Ｐ１個程度の大きさである。傾斜流路３１０は、第一案内面３１０Ａ、第二案内面３１０Ｂ、及び第三案内面３１０Ｃを備える。左右方向に対する傾斜の度合いは、第一案内面３１０Ａ、第二案内面３１０Ｂ、及び第三案内面３１０Ｃの順に、大きくなる。第一案内面３１０Ａは、右上方から左下方に向けて延びる。正面視において、第一案内面３１０Ａと第二可動部材２５１との上下方向の間隔は、遊技球Ｐの直径よりも小さい。第二案内面３１０Ｂは、第一案内面３１０Ａの左端から左下方に延びる。正面視において、第二案内面３１０Ｂと第二可動部材２５１との上下方向の間隔も、遊技球Ｐの直径よりも小さい。第三案内面３１０Ｃは、第二案内面３１０Ｂの左端から左下方に延びる、第三案内面３１０Ｃは、略上下方向に延びる。
【００４０】
第三案内面３１０Ｃの下流側（下側）には、第二検出スイッチ３１１が設けられる。第二検出スイッチ３１１は、第一検出スイッチ１３０と同型のセンサである。傾斜流路３１０を流下する遊技球Ｐは、第二検出スイッチ３１１の通過孔３１１Ａを１球ずつ通過する。通過孔３１１Ａの軸線（図示略）は、右上方から左下方に向けて延びる。分岐流路３１４は、第二検出スイッチ３１１から下方に延び、更に左下方と右下方に分岐する。本実施形態では、第二可動部材２５１、傾斜流路３１０、第二検出スイッチ３１１、及び、第二検出スイッチ３１１よりも下流側に設けられた各種部材（分岐流路３１４等）が、第二入賞装置２００の第二大入賞口２２を構成する。
【００４１】
図１１に示すように、分岐流路３１４の上下方向略中央部には、案内部３６０が設けられる。案内部３６０は、分岐流路３１４の内周面と一体的に形成される。案内部３６０は、右前案内部３６１、左前案内部３６２、左後案内部３６３、及び右後案内部３６４を含む。右前案内部３６１、左前案内部３６２、左後案内部３６３、及び右後案内部３６４は、いずれも略同じ高さに配置される。これら４つの案内部は、分岐流路３１４の内周面から分岐流路３１４の中心側へ突出する。より詳細には、右前案内部３６１は分岐流路３１４の右前部から左後側へ突出する。同様に、左前案内部３６２は分岐流路３１４の左前部から右後側へ、左後案内部３６３は分岐流路３１４の左後部から前側へ、右後案内部３６４は分岐流路３１４の右後部から前側へ、夫々突出する。
【００４２】
図４に示すように、案内部３６０の下方には突出壁部３１６が設けられる。突出壁部３１６は、分岐流路３１４の下端部から上方へ突出する壁部である。突出壁部３１６の左面は右上方から左下方へ延びており、突出壁部３１６の右面は略上下方向に延びる。突出壁部３１６の右面の上下方向長さは、遊技球Ｐの直径よりも僅かに短い。図１３に示すように、突出壁部３１６と案内部３６０の間には、接触壁部３１５が設けられる。接触壁部３１５は、分岐流路３１４の内周面から後方に突出する。接触壁部３１５の後端部３１５Ａは、遊技球Ｐと接触可能であり、後方に向けて突出するように湾曲している。
【００４３】
図４に示すように、左流路３２０は、分岐流路３１４から左下方に延びる。左流路３２０の下流側端部には、左検出スイッチ３２２が設けられる。右流路３３０は、分岐流路３１４から右下方へ延びる。右流路３３０の下流側端部には、右検出スイッチ３３３が設けられる。左検出スイッチ３２２、右検出スイッチ３３３は、いずれも、第二検出スイッチ３１１と同型のセンサである。本実施形態では、左検出スイッチ３２２の内側に形成された通過孔が非特定領域３２２Ａ（図５参照）であり、右検出スイッチ３３３の内側に形成された通過孔が特定領域３３３Ａ（図５参照）である。分岐流路３１４まで流下した遊技球Ｐは、後述の第三作動機構３５０（図１２参照）によって、非特定領域３２２Ａ又は特定領域３３３Ａに振り分けられる。左検出スイッチ３２２は非特定領域３２２Ａを通過する遊技球Ｐを検出し、右検出スイッチ３３３は特定領域３３３Ａを通過する遊技球Ｐを検出する。特定領域３３３Ａを通過する遊技球Ｐを右検出スイッチ３３３が検出することを条件に、大当たり遊技後の確率変動状態は生起される。
【００４４】
図１２及び図１３を参照し、第三作動機構３５０を詳説する。第三作動機構３５０は、第三ソレノイド３５５、回動部材３５８、第三可動部材３５１、及び可動規制部３５２を備える。第三ソレノイド３５５は、第一ソレノイド１５５（図８参照）と同型のソレノイドである。第三ソレノイド３５５は分岐流路３１４（図５参照）の後方に設けられる。第三ソレノイド３５５と分岐流路３１４の間には、回動部材３５８が設けられる。回動部材３５８は、上下に延びる第三支軸３５７を中心に回動可能であると共に、第三ソレノイド３５５と連結している。従って、第三ソレノイド３５５の駆動によって、回動部材３５８は回動可能である。
【００４５】
第三可動部材３５１と可動規制部３５２は、前後動可能に設けられ、回動部材３５８に連結する。第三可動部材３５１と回動部材３５８は、長穴と、長穴に摺動可能に連結するピンとによって連結する。可動規制部３５２と回動部材３５８の連結構造も同様である。また、第三可動部材３５１と回動部材３５８の連結位置と、可動規制部３５２と回動部材３５８の連結位置は、第三支軸３５７基準に略点対称である。従って、回動部材３５８が回動すると、第三可動部材３５１と可動規制部３５２は、互いに反対方向に前後動する。この場合、第三可動部材３５１と可動規制部３５２は、夫々、分岐流路３１４の後壁部（即ち後壁部５２）に形成された通過口６４，６５を通過する。
【００４６】
第三可動部材３５１の前端部３５１Ａの形状を詳説する。第三可動部材３５１の前端部３５１Ａは、上述の接触壁部３１５の後方にある。前端部３５１Ａは、支持板３５１Ｂと立設部３５１Ｃとによって構成される。支持板３５１Ｂの上面３５１Ｄ（図１３参照）は、左下方から右上方に向けて傾斜する。また、支持板３５１Ｂの前面３５１Ｅ（図１３参照）は、前上方から後下方に延びる。立設部３５１Ｃは、支持板３５１Ｂの右端部から上方に延びる。立設部３５１Ｃの左面３５１Ｆは、左下方から右上方に傾斜して延びる。立設部３５１Ｃの左面３５１Ｆは、支持板３５１Ｂの上面３５１Ｄよりも、左右方向に対して大きく傾く。支持板３５１Ｂの上面３５１Ｄと、立設部３５１Ｃの左面３５１Ｆは、いずれも、平面視において、案内部３６０の内側に配置される（図１１参照）。
【００４７】
図１２で示される第三可動部材３５１は可動範囲の前端となる第三非作動位置にあり、可動規制部３５２は可動範囲の後端となる許容位置にある。第三非作動位置にある第三可動部材３５１の前端部３５１Ａは、分岐流路３１４に進入し、接触壁部３１５の後端部３１５Ａ（図１３参照）に対して近接して対向する。この場合、前端部３５１Ａと後端部３１５Ａとの間を、遊技球Ｐは流下困難（流下不能）となる。一方、許容位置にある可動規制部３５２は、通過口６５に退入する。
【００４８】
図２０で示される第三可動部材３５１は、可動範囲の後端となる第三作動位置にあり、可動規制部３５２は、可動範囲の前端となる制限位置にある。第三作動位置にある第三可動部材３５１の前端部３５１Ａは、通過口６４に退入し、接触壁部３１５から後方に離隔する。この場合、前端部３５１Ａと接触壁部３１５との間には、遊技球Ｐが通過できる程度の隙間が形成される。一方、制限位置にある可動規制部３５２は、右流路３３０に進入し、右流路３３０を流下する遊技球Ｐを制限する。
【００４９】
図７、図９〜図１１、図１４〜図２２を参照し、遊技球Ｐがアタッカー装置５０の内部を流下する詳細を説明する。はじめに、遊技球Ｐがアタッカー装置５０を流下する概要を説明する。本実施形態では、大当たり報知演出に伴い、例えば表示装置２８は、遊技領域４の右側に遊技球Ｐを打ち込むことを遊技者に促す。このとき、アタッカー装置５０は動作を開始する。遊技球Ｐがアタッカー装置５０の内部を流下するタイミングが、アタッカー装置５０の所定の動作タイミングと一致すれば、遊技球Ｐは、第一入賞装置１００又は第二入賞装置２００に入賞する。
【００５０】
尚、大当たり報知演出の実行前（即ちアタッカー装置５０の動作前）、第一可動部材１５１は第一非作動位置にあり、移動部材１５２は規制位置にある（図６参照）。また、第二可動部材２５１は第二非作動位置にあり、第三可動部材３５１は第三非作動位置にあり（図４参照）、可動規制部３５２は許容位置（図４参照）にある。
【００５１】
図６、図７、図１４〜図１６を参照し、遊技球Ｐが第一入賞装置１００（即ち第一大入賞口１１）に入賞する詳細を説明する。図６、図１４に示すように、第一ソレノイド１５５が駆動すると、第一非作動位置（図６参照）にあった第一可動部材１５１は、第一支軸１５７を中心に平面視で時計回りに回動して（図６の矢印Ｋ）、第一作動位置（図１４参照）に到達する。同時に、規制位置（図６参照）にあった移動部材１５２は、後方へ移動して（図６の矢印Ｌ）、退避位置（図１４参照）に到達する。
【００５２】
図７に示すように、入球部５４（図４参照）を通過した遊技球Ｐは、上傾斜リブ１１０に接触してから案内部材１２０まで落下する。遊技球Ｐの後部が、上傾斜リブ１１０に接触することで、遊技球Ｐは減速する。同時に、落下する遊技球Ｐの向きは、やや前側に変わる。その後、遊技球Ｐは、主案内面１２１と補助案内面１２２との上を転動することで、左側へ案内される。遊技球Ｐが、補助案内面１２２上を転動するので、遊技球Ｐの流下方向は、左後方となる（矢印Ｈ）。尚、このとき、案内部材１２０によって案内される遊技球Ｐは、左前方に勢いよく流下して縦長リブ１２３に接触する場合がある（矢印Ｉ）。この場合、遊技球Ｐは、縦長リブ１２３との接触によって、流下する向きを左後方に変える。遊技球Ｐは、第一可動部材１５１の上面１５１Ｂ上を転動して、第一大入賞口１１に入賞する。入賞した遊技球Ｐは、特定案内部材１４０（図４参照）によって、遊技盤２の後側へ案内される。第一大入賞口１１に入賞した遊技球Ｐの球数に応じて、上皿５に賞球が払い出される。
【００５３】
尚、遊技球Ｐが、縦長リブ１２３に接触することなく主案内面１２１と補助案内面１２２を左前方に流下した場合、上面１５１Ｂを転動する遊技球Ｐの流下方向は、左前方となる（図示略）。この場合、遊技球Ｐは、横長リブ１２４に接触し、第一検出スイッチ１３０に向けて案内される。従って、パチンコ機１は、第一検出スイッチ１３０の手前で遊技球Ｐが詰るのを抑制できる。横長リブ１２４に接触しながら遊技球Ｐは、傾斜面１２４Ａに沿って左前側へ流下して、第一大入賞口１１に入賞できる。
【００５４】
図１４、図１５に示すように、所定時間が経過すると、第一ソレノイド１５５は駆動を停止する。結果、第一ソレノイド１５５の付勢バネ（図示略）の付勢力によって、プランジャ１５５Ｂは左方に移動する。これにより、第一作動位置にあった第一可動部材１５１は、第一非作動位置に向けて回動する。この場合、板部１５１Ａは、正面視で右方へ移動する（図１５の矢印Ｅ）。また、第一可動部材１５１の回動に連動して、退避位置にあった移動部材１５２は、規制位置に向けて移動する。
【００５５】
遊技球Ｐが上面１５１Ｂを転動している間に、第一可動部材１５１が第一非作動位置に向けて回動すると（矢印Ｅ）、遊技球Ｐは、第一可動部材１５１との摩擦力によって、僅かに減速する。その後、遊技球Ｐは、突出部１５１Ｃの先端部の上面を転動し、第一開口部１３５を下方に通過する（図１５の矢印Ａ２）。従って、遊技球Ｐは第一大入賞口１１に入賞しない。尚、上述の通り、突出部１５１Ｃの幅は、第一支軸１５７を中心に平面視で時計回り側に向かう程、狭くなる。従って、第一可動部材１５１が回動すると、第一開口部１３５の左側部は、遊技球Ｐが通過可能な程度まで素早く開放されると共に、第一可動部材１５１は、上面１５１Ｂを転動している遊技球Ｐから離れ易い。従って、上面１５１Ｂを転動していた遊技球Ｐは、第一可動部材１５１から離れて、第一開口部１３５の左部を下方に通過し易い。
【００５６】
図６、図１６に示すように、第一可動部材１５１は第一非作動位置まで回動し、移動部材１５２は規制位置まで移動する。案内部材１２０によって案内される後続の遊技球Ｐは、第一可動部材１５１に接触することなく、第一開口部１３５を下方に通過する。仮に、案内部材１２０から勢いよく左方へ放出される遊技球Ｐ（図示略）があったとしても、遊技球Ｐは規制位置にある移動部材１５２によって、第一大入賞口１１への入賞を規制される。従って、案内部材１２０によって案内される後続の遊技球Ｐは、第一大入賞口１１には入賞しない。
【００５７】
第一ソレノイド１５５は、例えば大当たり遊技の演出が実行される間、駆動と駆動停止を繰り返す。これにより、第一可動部材１５１は往復回動し、移動部材１５２は前後動する。第一可動部材１５１が第一作動位置にあるタイミングで案内部材１２０によって案内される遊技球Ｐは、第一可動部材１５１を経由して第一大入賞口１１に入賞する。それ以外のタイミングでは、遊技球Ｐは第一大入賞口１１に入賞せず、第一開口部１３５を下側に通過する。
【００５８】
図９〜図１１、図１６〜図２２を参照し、遊技球Ｐが第一開口部１３５を下側に流下する詳細を説明する。第一可動部材１５１は第一非作動位置にあり、移動部材１５２は規制位置にある。また、第二可動部材２５１は第二非作動位置にある。
【００５９】
図１０及び図１６に示すように、第一開口部１３５を下方に通過した遊技球Ｐは、下傾斜リブ２０１に接触し減速してから右案内部材２１０に落下する。同時に、落下する遊技球Ｐの向きは、やや前側に変わる。遊技球Ｐは、右案内部材２１０の主案内面２２１と補助案内面２２２との上を転動することで、左側へ案内される。遊技球Ｐが補助案内面２２２を転動するので、遊技球Ｐの流下方向は左後方になり易い。尚、右案内部材２１０によって案内される遊技球Ｐが、勢いよく左前方に流下する場合がある（図示略）。この場合、遊技球Ｐは、縦長リブ２２３に接触して、流下する向きを左後方に変える。
【００６０】
右案内部材２１０を転動している遊技球Ｐの上に、後続の遊技球Ｐが落下する場合がある。図１６では、後続の遊技球Ｐを二点鎖線によって例示する。後続の遊技球Ｐは、下側にある先頭の遊技球Ｐと点接触するので、前後に変位し易い。後続の遊技球Ｐが前側に変位すると、縦長リブ２２３と接触する。この接触によって、後続の遊技球Ｐは、下側にある先頭の遊技球Ｐよりも減速する。結果、後続の遊技球Ｐは先頭の遊技球Ｐの右側（上流側）に落ちる。よって、案内部材１２０によって案内される遊技球Ｐは、１球ずつ第二可動部材２５１に向けて転動する。
【００６１】
右案内部材２１０によって案内される遊技球Ｐは、第二可動部材２５１上を転動して、第二入賞装置２００（即ち第二大入賞口２２）に入賞することなく左案内部材２２０に流下する。遊技球Ｐは、放出口２９０（図３参照）から左方へ放出されて、第一特別図柄始動電動役物１４と第二特別図柄始動電動役物１６とがある左側へ流下する。
【００６２】
図９、図１７に示すように、第二ソレノイド２５５が駆動することで、第二可動部材２５１は、第二非作動位置から第二作動位置まで移動する。第二開口部２３５は、開放される。この場合、右案内部材２１０によって案内される遊技球Ｐは、第二開口部２３５を下方に通過し、第二入賞装置２００に入賞する。入賞後の遊技球Ｐは流路３００を流下する。
【００６３】
尚、第二可動部材２５１が第二非作動位置に向けた移動を開始したとき、遊技球Ｐが第二可動部材２５１の上面を転動している場合がある。この場合、遊技球Ｐが第二可動部材２５１の上面の右部を転動しているか、上面の左部を転動しているかによって、遊技球Ｐの流下経路は、異なる。詳細には、第二可動部材２５１の上面の左部を転動していた遊技球Ｐは、第二開口部２３５を下方に通過せずに、左案内部材２２０に流下する。なぜなら、第二前端面２５２Ｂが右後方から左前方へ傾斜する分、第二前端面２５２Ｂと補助リブ２２４との間の空間が遊技球Ｐの通過可能な程度まで開放されるタイミングは、第一前端面２５２Ａと補助リブ２２４との間の空間が開放されるタイミングよりも、遅いからである。一方、第二可動部材２５１の上面の右部を転動していた遊技球Ｐは、第二入賞装置２００に入賞する。入賞後の遊技球Ｐは、傾斜流路３１０の第一案内面３１０Ａ、第二案内面３１０Ｂ、及び第三案内面３１０Ｃを転動して、第二検出スイッチ３１１に向かう。
【００６４】
第二開口部２３５が開放された後、右案内部材２１０によって案内される後続の遊技球Ｐは、第一案内面３１０Ａ、第二案内面３１０Ｂ、及び第三案内面３１０Ｃを順に転動し、徐々に増速しながら第二検出スイッチ３１１へ向かう。従って、右案内部材２１０に連続して複数の遊技球Ｐが流下する場合であっても、傾斜流路３１０を流れる先頭の遊技球Ｐは、後続の遊技球Ｐとの距離を引き離すことができる。更に、傾斜流路３１０の左右方向の内寸法は、下側に向かう程小さくなり、且つ、傾斜流路３１０下端部は、遊技球Ｐの１個程度の大きさしかない。よって、パチンコ機１は第二検出スイッチ３１１での球詰りを抑制できる。従って、右案内部材２１０を転動している遊技球Ｐの上に後続の遊技球Ｐが落下する上述の場合があっても（図１６参照）、第二検出スイッチ３１１での球詰まりは、発生しにくい。
【００６５】
所定時間が経過するまでの間、第二ソレノイド２５５が駆動及び駆動停止を繰り返し、第二可動部材２５１は、第二非作動位置と第二作動位置との間を往復回動する。第二可動部材２５１が第二作動位置にあるタイミングで右案内部材２１０を流下する遊技球Ｐは、第二入賞装置２００に入賞する。
【００６６】
図１８を参照し、遊技球Ｐが第一案内面３１０Ａ又は第二案内面３１０Ｂを転動している間に、第二可動部材２５１が第二非作動位置へ移動する場合を説明する。第二可動部材２５１の前端面２５２の第一前端面２５２Ａが、遊技球Ｐを、補助リブ２２４の後端２２４Ａに向けて付勢する。第一前端面２５２Ａは、左後方へ延びるので、第二可動部材２５１によって付勢される遊技球Ｐの向きは、左前方となる。従って、遊技球Ｐは、第三案内面３１０Ｃに向けて案内され易い。更に、補助リブ２２４の後端２２４Ａは、左前方に向けて傾斜する。よって、第二可動部材２５１と補助リブ２２４で遊技球Ｐを挟むタイミングは、左側の方が遅い。よって、第一案内面３１０Ａと第二案内面３１０Ｂを転動する遊技球Ｐが、第二可動部材２５１と補助リブ２２４の間で挟まって詰まるのを、抑制できる。第二検出スイッチ３１１は、通過孔３１１Ａを通過する遊技球Ｐを１球ずつ検出する。第二検出スイッチ３１１が検出する遊技球Ｐの個数に応じて、上皿５に賞球が払い出される。
【００６７】
図１１、図１６を参照し、第二検出スイッチ３１１を通過した後の遊技球Ｐの詳細を説明する。第三可動部材３５１は第三非作動位置にあり、可動規制部３５２は許容位置にある。第二検出スイッチ３１１を通過した遊技球Ｐは、分岐流路３１４の上端部を流下する。第二検出スイッチ３１１の通過孔３１１Ａの軸線は、上下方向に対して傾斜しており、分岐流路３１４の上端部は上下方向に延びる。従って、第二検出スイッチ３１１を通過した遊技球Ｐは、分岐流路３１４との衝突を繰り返しながら左右方向に往復変位しつつ、案内部３６０まで流下する。遊技球Ｐは、案内部３６０の右前案内部３６１、左前案内部３６２、左後案内部３６３、及び右後案内部３６４に接触することによって、左右方向の往復変位を制限されて、さらに下側へ流下する。尚、分岐流路３１４の上端部を流下する遊技球Ｐは、前後方向に往復変位していてもよい。この場合であっても、案内部３６０は、遊技球Ｐの前後方向の往復変位を制限する。
【００６８】
図１９に示すように、遊技球Ｐは、第三非作動位置にある第三可動部材３５１に到達して、上面３５１Ｄと左面３５１Ｆに接触する。これにより、遊技球Ｐは、流下する向きを左下方に変えさせられ、左流路３２０に振り分けられる。左流路３２０に振り分けられた遊技球Ｐは、非特定領域３２２Ａを通過し、遊技盤２の後方へ排出される。
【００６９】
図２０に示すように、第三ソレノイド３５５（図１２参照）が駆動すると、第三可動部材３５１は、第三非作動位置から第三作動位置まで移動する。第三可動部材３５１の移動に連動して、可動規制部３５２は、許容位置から制限位置まで移動する。分岐流路３１４の下端部まで到達した遊技球Ｐは、第三可動部材３５１と接触壁部３１５（図１３参照）との間の隙間を通過する。その後、遊技球Ｐは、突出壁部３１６と可動規制部３５２との間に入り込む。遊技球Ｐは、可動規制部３５２の左面に当接して、右側への流下を制限される。流下を制限された遊技球Ｐは、停留する。分岐流路３１４まで流下する後続の遊技球Ｐは、流下を制限されている先頭の遊技球Ｐの上端に接触し、流下する向きを左下方に変えさせられる。突出壁部３１６の右面の上下方向長さが遊技球Ｐの直径よりも短いので、左下方へ流下する後続の遊技球Ｐは、突出壁部３１６に接触することなく左流路３２０に振り分けられて、非特定領域３２２Ａを通過する。
【００７０】
所定時間が経過すると、第三ソレノイド３５５（図１２参照）が駆動停止する。第三ソレノイド３５５の付勢バネ（図示略）の付勢力によって、第三可動部材３５１は第三非作動位置まで移動し、可動規制部３５２は許容位置まで移動する。これにより、分岐流路３１４まで流下する後続の遊技球Ｐは、第三可動部材３５１と接触壁部３１５との間を流下困難となり、左流路３２０へと流下する。同時に、停留していた遊技球Ｐは、右流路３３０を流下して特定領域３３３Ａを通過する。特定領域３３３Ａを通過した遊技球Ｐは、遊技盤２の後方へ排出される。
【００７１】
尚、本実施形態のパチンコ機１は、左検出スイッチ３２２と右検出スイッチ３３３が検出した遊技球Ｐの合計個数と、第二検出スイッチ３１１が検出した遊技球Ｐの個数とが一致するか否かを判断する。これにより、例えば、第二検出スイッチ３１１へ不正な電波を発することで第二検出スイッチ３１１を誤検出させ賞球を不正に獲得する行為（所謂、電波ゴト）を、パチンコ機１は検出できる。左検出スイッチ３２２と右検出スイッチ３３３が検出した遊技球Ｐの合計個数が、第二検出スイッチ３１１が検出した遊技球Ｐの個数と一致しない場合、パチンコ機１は、その旨を報知する。
【００７２】
図２１を参照し、接触壁部３１５と第三可動部材３５１との間の隙間に遊技球Ｐが進入するタイミングで、第三可動部材３５１が第三非作動位置に変位する場合を説明する。この場合、第三可動部材３５１の前面３５１Ｅの上端が、例えば、遊技球Ｐの上部に接触し、後端部３１５Ａまで移動させる。第三可動部材３５１が更に変位することによって、遊技球Ｐは、後端部３１５Ａに沿って下側へ移動し、突出壁部３１６と可動規制部３５２との間に入り込む（矢印Ｘ）。
【００７３】
以上、説明したように、案内部材１２０によって案内された遊技球Ｐは、下傾斜リブ２０１に接触してから、第二非作動位置にある第二可動部材２５１まで流下する。下傾斜リブ２０１との接触によって、遊技球Ｐの勢いは弱まる。これにより、遊技球Ｐが減速するので、遊技球Ｐと接触する第二可動部材２５１に作用する負荷は、過大になりにくい。また、本実施形態では、右案内部材２１０が、下傾斜リブ２０１に接触した遊技球Ｐを下側から受けて第二可動部材２５１へ案内する。よって、遊技球Ｐが接触する第二可動部材２５１に作用する負荷は、更に低減する。
【００７４】
遊技球Ｐは、上傾斜リブ１１０、補助案内面１２２、下傾斜リブ２０１を順に経由して、第二可動部材２５１まで流下する。遊技球Ｐは、上傾斜リブ１１０との接触によって、流下する向きを若干前側に変えるので、補助案内面１２２を転動し易い。そして、補助案内面１２２を転動する遊技球Ｐは、左後方に向けて案内され易い。よって、第一開口部１３５を通過する遊技球Ｐは、下後方へ流下し易く、下傾斜リブ２０１に接触し易い。
【００７５】
下傾斜リブ２０１は、右下方から左上方へ延びる。換言すると、下傾斜リブ２０１は、上側に向かうにつれて、案内部材１２０から離隔する方向に延びる。これにより、案内部材１２０によって案内されてから下傾斜リブ２０１に接触するまでの遊技球Ｐの左右方向の移動量は、増える。従って、下傾斜リブ２０１に接触するまでの間に、遊技球Ｐの左右方向における速さは減速し易い。よって、下傾斜リブ２０１は、接触する遊技球Ｐの勢いを、更に弱めることができる。
【００７６】
案内部材１２０によって案内される遊技球Ｐの流下方向が、左前方である場合（図７の矢印Ｉ）、遊技球Ｐは縦長リブ１２３に接触して、流下する向きを左後方に変える。従って、遊技球Ｐは、左後方へ変位しながら第一開口部１３５を下方に通過できるので、下傾斜リブ２０１に接触し易い。
【００７７】
以上説明にて、パチンコ機１は本発明の「遊技機」の一例である。ガイドレール２０は本発明の「第一案内部材」の一例である。案内部材１２０は本発明の「第二案内部材」の一例である。第二可動部材２５１は本発明の「可動体」の一例である。下傾斜リブ２０１は本発明の「接触部材」の一例である。補助案内面１２２は本発明の「案内部」の一例である。右案内部材２１０は本発明の「第三案内部材」の一例である。前側は本発明の「一方側」の一例である。
【００７８】
本発明は、上記実施例に限定されない。第一可動部材１５１は、第一ソレノイド１５５の駆動によって回動可能である代わりに、例えばモータの駆動によって左右動可能又は前後動可能であってもよい。下傾斜リブ２０１は、左上方から右下方に向けて傾斜して延びる代わりに、上下方向に延びていてもよいし、左下方から右上方に向けて傾斜して延びてもよい。この場合でも、下傾斜リブ２０１は、案内部材１２０によって案内された遊技球Ｐに対して左側から接触し、遊技球Ｐを減速させることができる。下傾斜リブ２０１は、案内部材１２０から第二可動部材２５１に至る流路の後側に設けられる代わりに、前側に設けられてもよい。この場合、案内部材１２０の補助案内面１２２は、主案内面１２１の前方に設けられ、後上方から前下方に向けて延出すればよい。これにより、第一開口部１３５を下方する遊技球Ｐは、前下方に変位し、下傾斜リブ２０１に接触し易い。
【００７９】
上傾斜リブ１１０は、左上方から右下方に向けて傾斜して延びる代わりに、左右方向に延びていてもよい。また、上傾斜リブ１１０は、後壁部５２から前方に突出する代わりに、前壁部５１から後方に突出してもよい。縦長リブ１２３は、前壁部５１から後方に突出する代わりに、後壁部５２から前方に突出してもよい。縦長リブ１２３は、右案内部材２１０にて上下に連なる２個の遊技球Ｐのうちで上側の遊技球Ｐに接触可能であればよい。傾斜流路３１０は、第一案内面３１０Ａ、第二案内面３１０Ｂ、及び第三案内面３１０Ｃのうちで、いずれか二つの案内面を備えていてもよい。また、第一案内面３１０Ａ及び第二案内面３１０Ｂと、第二可動部材２５１との正面視における上下方向の間隔は、遊技球Ｐの直径よりも大きくてもよい。
【００８０】
第二可動部材２５１の前端面２５２は、左右方向と平行に延びていてもよい。この場合、補助リブ２２４の後端２２４Ａが右前方へ傾斜しているのであれば、第二可動部材２５１と補助リブ２２４との間の空間が閉まるタイミングは、右側（下流側）の方が遅くなる。また、補助リブ２２４の後端２２４Ａは、左右方向と平行に延びていてもよい。この場合、第二可動部材２５１の前端面２５２が、第一前端面２５２Ａを含むのであれば、第二可動部材２５１と補助リブ２２４との間の空間が閉まるタイミングは、右側（下流側）の方が遅くなる。
【００８１】
尚、本発明が適用されるパチンコ機１は、第一種、第二種等の種別を問わない。従って、第二ソレノイド２５５と第三ソレノイド３５５は、大当たり報知演出中に動作することに限定されない。例えば、第二ソレノイド２５５と第三ソレノイド３５５は、小当たり遊技中に動作してもよい。この場合、特定領域３３３Ａを通過する遊技球Ｐを右検出スイッチ３３３が検出したことを条件に、大当たりが生起してもよい。
【００８２】
また、請求項、明細書および図面に記載される全ての要素（例えば、第一作動機構１５０、第一大入賞口１１、第二大入賞口２２、第一特別図柄始動電動役物１４等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「振分手段」は、ハード単体でも、ソフトを含んだものであっても構わない。 
【００８３】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００８４】
１        パチンコ機
２０      ガイドレール
１２０    案内部材
１２２    補助案内面
２０１    下傾斜リブ
２１０    右案内部材
２５１    第二可動部材
Ｐ        遊技球
【図１】
2018164646.tif 000003
【図２】
2018164646.tif 000004
【図３】
2018164646.tif 000005
【図４】
2018164646.tif 000006
【図５】
2018164646.tif 000007
【図６】
2018164646.tif 000008
【図７】
2018164646.tif 000009
【図８】
2018164646.tif 000010
【図９】
2018164646.tif 000011
【図１０】
2018164646.tif 000012
【図１１】
2018164646.tif 000013
【図１２】
2018164646.tif 000014
【図１３】
2018164646.tif 000015
【図１４】
2018164646.tif 000016
【図１５】
2018164646.tif 000017
【図１６】
2018164646.tif 000018
【図１７】
2018164646.tif 000019
【図１８】
2018164646.tif 000020
【図１９】
2018164646.tif 000021
【図２０】
2018164646.tif 000022
【図２１】
2018164646.tif 000023